(57)【要約】【課題】単純なシステムで著作権などをハードウェア的に保護することの可能なディスク並びに記憶装置と、ディスクの再生機器とを提供する。【解決手段】再生機器のデータ検出ポイントに対して相対的に回転させながら再生信号を検出させるディスクであって、円盤状の基板２と、前記基板２の回転中心に対して同心円状に形成された再生可能なデータ記憶エリア３と、前記データ記憶エリア３の内周側の基板２表面上に前記回転中心に対して同心円状に配置された蓄電デバイス４とを具備することを特徴とするディスク１。【選択図】      図１
2006099841.tif 000002
【特許請求の範囲】
【請求項１】
再生機器のデータ検出ポイントに対して相対的に回転させながら再生信号を検出させるディスクであって、
円盤状の基板と、
前記基板の回転中心に対して同心円状に形成された再生可能なデータ記憶エリアと、
前記データ記憶エリアの内周側の基板表面上に前記回転中心に対して同心円状に配置された蓄電デバイスと
を具備することを特徴とするディスク。
【請求項２】
前記蓄電デバイスの正極端子と負極端子は、一方が前記データ記憶エリアの内周側に、かつ他方が前記データ記憶エリアの外周側に配置されることを特徴とする請求項１記載のディスク。
【請求項３】
前記蓄電デバイスの正極端子と負極端子は、一方が前記データ記憶エリア側の面に、かつ他方が前記データ記憶エリアとは反対側の面に配置されることを特徴とする請求項１記載のディスク。
【請求項４】
前記正極端子及び前記負極端子のうち少なくとも一方の端子が導電性ゴムから形成されていることを特徴とする請求項２または３記載のディスク。
【請求項５】
再生可能なデータ記憶エリアと、
再生機器に電力を供給するための蓄電デバイスと
を具備することを特徴とする記憶装置。
【発明の詳細な説明】
【技術分野】
【０００１】
本発明は、ディスク、ディスクの再生機器と、記憶装置に関するものである。
【背景技術】
【０００２】
近年、インターネットの発達やＣＤ、ＤＶＤ、ＭＤなどの多くの取り外し可能で大容量なメディアの発達によって著作権の保護が難しくなってきている。特に大容量なメディアはこれらのコピー技術も発達している。現在まではこれらソフトウェアのセキュリティ技術はソフトによる保護で行ってきたが、いずれもハッキング技術の発展に伴い、易々とその防護は破られていき、イタチゴッコとなっている。また、ソフトウェア上の暗号技術のために年々ＣＤプレイヤーなどは互換性が限られてきており、これがユーザーの不満となっている面もある。
【０００３】
これら背景を受けて、ソフトウェアでまかなえない保護技術をハードウェアを利用して実現する試みが続けられている。例えば、主データ記憶エリアのほかに外部送受信アンテナやメモリ、電池などを配置することでセキュリティ情報や、ディスクの使用状況情報などを主記憶データと別にソフトウェア的に管理を行う方法が知られている。これらハードウェアをディスク上に配置する際に必要な重量やそのバランスの問題を解決する方法を開示しているのが特許文献１などである。
【０００４】
しかしながら、これらは非常に複雑なシステムで、用いるハードウェアの数も膨大となり、それらの質量管理、コスト管理などに大きな負担がかかることに問題がある。
【０００５】
著作権保護を考える際には、著作権が守られるべきデータの使用回数制限を設けることが望ましい。現在、たとえばＣＤ、ＤＶＤに代表されるコンテンツの販売時には明確な利用制限としての使用回数制限は設けられていない。しかしながら、コンテンツの種類によっては回数制限を持って販売をする必要がある場合がある。例えば近年、ビデオ、ＣＤ、ＤＶＤはレンタル利用が市場の一角を占めており、また漫画などの媒体に関しても同様な市場が広がることが予想される。しかしながら、現在これらの著作権による収益を著作権者に有効にフィードバックすることは困難である。
【０００６】
著作物の販売方式としては、半永久使用権と定回数使用権が挙げられる。レンタル用途にはその使用回数ごとに課金をする定回数使用権をつけて販売することが望ましい。逆に半永久使用権は現在の販売と同様である。
【０００７】
さてこれらの分類のうち、定回数使用権の設定を可能とするため、特許文献２に挙げられるソフト電池と呼ばれるシステムも考えられている。しかしながら、これはソフト上のセキュリティを確保はできるが、実際にはソフトのコード解析を行われると破られてしまう可能性がある。
【特許文献１】特開２０００−１３２９４５号公報
【特許文献２】特許公報第２８１００３３号
【発明の開示】
【発明が解決しようとする課題】
【０００８】
本発明は以上のことを鑑みて単純なシステムで著作権などをハードウェア的に保護することの可能なディスク並びに記憶装置と、ディスクの再生機器とを提供することを目的とする。
【課題を解決するための手段】
【０００９】
本発明に係るディスクは、再生機器のデータ検出ポイントに対して相対的に回転させながら再生信号を検出させるディスクであって、
円盤状の基板と、
前記基板の回転中心に対して同心円状に形成された再生可能なデータ記憶エリアと、
前記データ記憶エリアの内周側の基板表面上に前記回転中心に対して同心円状に配置された蓄電デバイスと
を具備することを特徴とするものである。
【００１０】
本発明に係る再生機器は、前記ディスクの再生に使用されるものであって、前記蓄電デバイスと電気的に接続される接点を備えたことを特徴とするものである。
【００１１】
本発明に係る記憶装置は、
再生可能なデータ記憶エリアと、
再生機器に電力を供給するための蓄電デバイスと
を具備することを特徴とするものである。
【発明の効果】
【００１２】
本発明によれば、単純なシステムで著作権などをハードウェア的に保護することの可能なディスク並びに記憶装置と、ディスクの再生機器とを提供することができる。
【発明を実施するための最良の形態】
【００１３】
本発明では実際にハードとして電池もしくはキャパシタなどの蓄電デバイスをディスクもしくは記憶装置上に搭載することで定回数使用権付のディスク及び記憶装置を実現することができた。ソフトでは破られやすいセキュリティをハードに持たせることで、ソフトのコード解析よりもより高価なハードウェアの製造を行わなければセキュリティを破れなくすることが可能となる。しかも実際に著作権者のもとで大量生産される際には、大量生産によるコスト圧縮効果が期待できるので、コスト要因としても安価になることが予想される。また著作権者が作品購入者に対して半永久的な著作物の使用権を与える場合には蓄電デバイスの代わりに導電体のような接続端子を配置することで半永久的な使用が可能となる。
【００１４】
例えば記憶装置内に蓄電デバイスを配置し、その蓄電デバイスに蓄えられた電力を再生機器に供給して再生機器の動作の一部、もしくは全部に用いるシステムを構築すれば、その蓄電デバイスの電力に応じた回数の再生を保証できるし、電池がなくなれば再生はできなくなる。また、電池の代わりに導電体などの接続端子を用いることで再生機器からの電力供給のみで再生機器が稼動できるシステムを構築すれば再生回数は半永久的に保証される。しかもこの蓄電デバイスは一次電池、二次電池と使用用途によって使い分けることで利用方法を限定することができる。例えば一次電池の場合は完全な使用回数の限定ができるが、二次電池の場合は電池が切れた後、充電サービスを課金システムとすることで著作権者へのフィードバックができるようになる。使用可能な一次電池及び二次電池の種類は、特に限定されず、例えば、非水電解質電池、アルカリ電池等を挙げることができる。
【００１５】
記憶装置の形態は大きく分けて二種類ある。再生機器のデータ検出ポイントに対して相対的に回転させながら再生信号を検出するディスクタイプのＣＤ、ＤＶＤ、ＭＤに代表されるタイプと、物理的な回転動作はない半導体メモリタイプのＣＦカードやメモリースティックに代表されるタイプとがある。
【００１６】
第一にディスクタイプに対する実施の形態を説明する。
【００１７】
ディスクタイプに係る実施形態としては、ディスクの回転中心もしくは重心に同心円状に蓄電デバイスを配置することが挙げられる。これにより、ディスクの偏重心量を抑えることができる。さらに蓄電デバイスとして電池を使用する場合、電解質に固体電解質を用いると、液体の電解液を用いた場合に比べ、回転時の安定性が保たれるため、非常に有効である。蓄電デバイスがキャパシタである場合にも固体の誘電体をもちいることが同様の理由から非常に有効である。
【００１８】
蓄電デバイスの通電用の導電体もディスクの重心もしくは回転中心に同心円状に配置することで回転中も通電することが容易となる。また、導電体はプラスとマイナスが必要であることは蓄電デバイスの特徴から見て明らかであるが、これらはディスクの表裏に分けて配置するか、もしくはデータ領域を挟み込む形で配置するのが好ましい。これは本発明をセキュリティとして考えた場合、正極と負極をバイパスすることで半永久使用を可能にする不正利用を防ぐためである。ディスクの表裏に分けて配置する場合には大掛かりなディスクの改造が必要になるし、データ領域を挟み込む形で配置すればバイパスするためにはデータ領域を隠す形でバイパスすることになり、再生不可能となるためである。
【００１９】
導電体の材料には導電ゴムを含むことが望ましい。実際にディスクおよびデータ読み取りポイントが移動するタイプの機器には物理的な位置の安定性が求められるため、導電ゴムを用いれば導電体としての機能はもちろん、位置がずれにくいため安定した回転性能がえられる。
【００２０】
半永久使用権の付与されたディスクの場合は蓄電デバイスの変わりに導電体があることとなる。
【００２１】
以上のディスクを再生する機器の持つべき機能は、ディスク上の電池から供給される電力を用いて作動のすくなくとも一部を賄う事、半永久使用権の付与されたディスク上には導電体があるので再生装置側から通電を行って蓄電デバイスがある場合と同様の作動を起こすことが必要となる。
【００２２】
本発明のディスクに係る実施形態を図１〜図１１を参照して詳細に説明する。
【００２３】
（第１の実施形態）
図１は本発明の第１の実施形態に係るディスクを模式的に示した斜視図で、図２は図１のディスクについての模式的な断面図で、図３は図２のディスクの要部拡大断面図である。
【００２４】
ディスク１は、中心孔２ａを有する円盤状のディスク基板２と、光学的な作用でデータやり取りのできる再生可能なデータ記憶エリア３とを有する。つまり、光ディスクである。データ記憶エリア３は、基板２上にその回転中心Ｏと同心円状に形成されている。蓄電デバイスとしての一次電池４は、データ記憶エリア３の内周側の基板２上に配置され、その重心がディスク１の回転中心Ｏと一致している。
【００２５】
一次電池４は、負極集電体５と、負極層６と、固体電解質層７と、正極層８と、正極集電体９とを備えるものである。これらの部材は、いずれもリング形状を有している。負極集電体５は、基板２の表面に形成されており、その周縁部がデータ記憶エリア３の内周面を伝って表面に引き出されている。負極集電体５の表面には、負極層６、固体電解質層７、正極層８及び正極集電体９がこの順番に積層されている。負極層６、固体電解質層７、正極層８及び正極集電体９の外周面と負極集電体５との間には外側絶縁層１０が配置されている。外側絶縁層１０は、データ記憶エリア３の表面に引き出された負極集電体５の表面を負極端子となる部分１１を除いて被覆している。負極集電体５は、例えば、金属もしくは合金から形成することができる。
【００２６】
内側絶縁層１３は、正極層８が形成されているのと反対側の正極集電体９表面から、正極層８、固体電解質層７、負極層６及び負極集電体５の内周面までを被覆している。正極端子としての導電体１４は、正極集電体９の表面のうち正極層８が形成されているのと反対側の面に形成され、その先端が内側絶縁層１３から突出している。この導電体１４は、例えば、導電性ゴムから形成することができる。
【００２７】
この第１の実施形態に係るディスク１では、データ記憶エリア３の内周側に回転中心Ｏと同心円状に一次電池４が配置されているため、ディスクの偏重心量を少なくすることができる。また、固体電解質を使用すると、ディスク１の回転時の安定性をさらに高くすることができる。
【００２８】
一次電池４の電力が正極端子１４及び負極端子１１を通して再生機器に供給され、この電力によって再生機器の電源がオンになることで再生機器が駆動し、再生が開始されるため、一次電池４の容量が尽きるとディスク１の再生が行われなくなり、使用回数を制限することができ、定回数使用権付きのディスクを実現することができる。
【００２９】
（第２の実施形態）
本発明の第２の実施形態に係るディスクを図４及び図５を参照して説明する。図４は本発明の第２の実施形態に係るディスクを模式的に示した斜視図で、図５は図４のディスクの要部拡大断面図である。
【００３０】
第２の実施形態に係るディスク１７では、負極端子と正極端子の配置が第１の実施形態と異なっている。例えばリング状の導電性ゴムからなる正極端子１５は、正極集電体９の表面のうち正極層８が形成されているのと反対側の表面の周縁部に形成されている。正極端子１５よりも径が大きなリング状の負極端子１６は、負極集電体５の周縁部全体を外側絶縁層１０で覆わずに表出させたものである。
【００３１】
この第２の実施形態に係るディスク１７によれば、ディスクの偏重心量を抑えつつ、定回数使用権を付与することが可能になる。また、正極端子１５と負極端子１６は、リング状をしているため、再生機器との接続状態が第１の実施形態に比べて良好なものとなる。
【００３２】
（第３の実施形態）
本発明の第３の実施形態に係るディスクを図６〜図８を参照して説明する。図６は本発明の第３の実施形態に係るディスクを模式的に示した斜視図で、図７は図６のディスクについての模式的な断面図で、図８は図６のディスクの要部拡大断面図である。
【００３３】
第３の実施形態に係るディスク１８では、負極端子の配置が第２の実施形態と異なっている。負極集電体５は、ディスク表面に引き出さず、基板２の表面のみに配置する。よって、外側絶縁層１０は、負極集電体５、負極層６、固体電解質層７、正極層８及び正極集電体９の外周面を被覆する構成とする。正極端子１５よりも径が大きなリング状の負極端子１９は、データ記憶エリア３の最外周側の基板表面２に形成されている。負極端子１９は、例えば、導電性ゴムから形成することができる。なお、負極集電体５と負極端子１９は、基板２に埋め込まれた負極リード１９ａによって電気的に接続されている。
【００３４】
この第３の実施形態に係るディスク１８によれば、ディスクの偏重心量を抑えつつ、定回数使用権を付与することが可能になる。また、一次電池４の正極端子１５と負極端子１９がデータ記憶エリア３を挟み込む形で配置されているため、正極端子１５と負極端子１９をバイパスすると、データ記憶エリア３を隠す形でバイパスすることになり、再生不可能となる。よって、不正に半永久使用されるのを回避することが可能になる。
【００３５】
さらに、正極端子１５と負極端子１９の両極端子が導電性ゴムから形成されているため、表面に電極端子を設けたことに起因するディスク回転時の位置ずれを少なくすることができ、ディスクの回転性能を良好なものとすることができる。
【００３６】
（第４の実施形態）
本発明の第４の実施形態に係るディスクを図９〜図１０を参照して説明する。図９は本発明の第４の実施形態に係るディスクを模式的に示した斜視図で、図１０は図９のディスクについての模式的な断面図である。
【００３７】
第４の実施形態に係るディスク２０では、正極端子と負極端子の配置が第１の実施形態と異なっている。例えば導電性ゴムからなる正極端子２１は、正極集電体の表面のうち正極層が形成されているのと反対側の表面における周縁部の２箇所に形成されている。この一対の正極端子２１は、ディスク２０の回転中心Ｏを挟んで点対称に配置されている。負極端子２２は、一次電池４の負極端子と接触し、かつその端面が基板２の表面に表出するように基板２に埋め込まれている。負極端子２２は、例えば、導電性ゴムから形成することが可能である。
【００３８】
この第４の実施形態に係るディスク２０によれば、ディスクの偏重心量を抑えつつ、定回数使用権を付与することが可能になる。また、一次電池４の正極端子２１と負極端子２２がディスク２０の表裏に分けて配置されているため、正極端子２１と負極端子２２をバイパスするために大掛かりな改造が必要となり、不正に半永久使用することを難しくしている。
【００３９】
さらに、正極端子２１と負極端子２２の両極端子が導電性ゴムから形成されているため、ディスクの回転性能を良好なものとすることができる。
【００４０】
（第５の実施形態）
本発明の第５の実施形態に係るディスクを図１１を参照して説明する。図１１は本発明の第５の実施形態に係るディスクについての模式的な断面図である。
【００４１】
第５の実施形態に係るディスク２３では、負極端子の配置が第４の実施形態と異なっている。負極端子２４は、データ記憶エリア３の反対側に位置する基板表面２に形成されている。負極端子２４は、例えば、導電性ゴムから形成することが可能である。負極端子２４は、基板２に埋め込まれた負極リード２５によって一次電池４の負極集電体と電気的に接続されている。
【００４２】
この第５の実施形態に係るディスク２３によれば、ディスクの偏重心量を抑えつつ、定回数使用権を付与することが可能になる。また、一次電池４の正極端子２１と負極端子２４がディスク２３の表裏に分けて配置されているため、正極端子２１と負極端子２４をバイパスするために大掛かりな改造が必要となり、不正に半永久使用することを難しくしている。
【００４３】
さらに、正極端子２１と負極端子２４の両極端子が導電性ゴムから形成されているため、ディスクの回転性能を良好なものとすることができる。
【００４４】
この第５の実施形態では、負極端子２４をデータ記憶エリア３側の基板表面２に配置し、正極端子２１を反対側の基板表面２に配置しても良い。この例を図１２に示す。
【００４５】
正極端子２１は、データ記憶エリア３の反対側に位置する基板表面２の中心孔２ａの周囲に形成されている。正極端子２１は、例えば、導電性ゴムから形成することが可能である。正極端子２１は、基板２に埋め込まれた正極リード（図示しない）によって一次電池４の正極集電体と電気的に接続されている。
【００４６】
一方、負極端子２４は、データ記憶エリア３の最外周側に位置する基板表面２に形成されている。負極端子２４は、例えば、導電性ゴムから形成することが可能である。負極端子２４は、基板２に埋め込まれた負極リード２５によって一次電池４の負極集電体と電気的に接続されている。
【００４７】
なお、前述した第１〜第５の実施の形態では、正極と負極の配置を逆にすることができる。すなわち、負極集電体５を正極集電体９に、負極層６を正極層８に交換することが可能である。
【００４８】
また、一次電池の代わりに二次電池を使用することも可能で、二次電池の場合には充電サービスを課金システムとすることで著作権者へのフィードバックが可能である。
【００４９】
前述した第１〜第５の実施の形態では、光ディスクに適用した例を説明したが、電気的もしくは磁気的な作用でデータやり取りのできる再生可能なデータ記憶エリアを有するディスク（例えば磁気ディスクなど）にも同様に適用することができる。
【００５０】
前述した第１〜第５の実施の形態では、蓄電デバイスを搭載した例を説明したが、蓄電デバイスの代わりに再生機器との接続端子を設けることができる。これにより、再生機器にディスクがセットされ、再生機器からディスクに搭載された記憶用チップ等に電力が供給されると、再生が開始されるため、半永久的な使用権を有するディスクを実現することができる。
【００５１】
（第６の実施形態）
本発明の実施形態に係るディスクを再生するための再生機器としては、汎用の再生機器にディスクの正負極端子と電気的に接続するための接点を設けたものを使用することができる。例えば、第３の実施形態のディスクを再生するための再生機器の一実施形態を図１３に示す。
【００５２】
再生機器の支持台３１の中心付近に位置するディスク受け台３２には、回転軸３３が設けられている。かぎ爪３４は、回転軸３３の先端に形成されている。データのピックアップ３５は、支持台３１に配置されている。ディスク１８の正極端子１５と電気的に接続される正極接点３６は、ディスク受け台３２に形成されている。一方、ディスク１８の負極端子１９と電気的に接続される負極接点３７は、支持台３１上の周縁に形成されている。
【００５３】
このような再生機器の回転軸３３にディスク１８の中心孔２ａを挿入し、データ記憶エリア３面をピックアップ３５と対向させ、ディスク１８の正極端子１５と再生機器の正極接点３６を接触させると共に、ディスク１８の負極端子１９と再生機器の負極接点３７を接触させる。これにより、一次電池４の電力が再生機器に供給されて再生機器の電源がオンになるため、再生を開始することができる。
【００５４】
（第７の実施形態）
図１４は、本発明の第４の実施形態に係るディスク用の再生機器の一実施形態を示す模式図である。
【００５５】
この第７の実施形態に係る再生機器は、負極接点の位置が第６の実施形態に係る再生機器と異なる。負極接点３７は、かぎ爪３４の正極接点３６と対向する面に形成されている。
【００５６】
このような再生機器の回転軸３３にディスク２０の中心孔２ａを挿入し、データ記憶エリア３面をピックアップ３５と対向させ、ディスク２０の正極端子２１と再生機器の正極接点３６を接触させると共に、ディスク２０の負極端子２２と再生機器の負極接点３７を接触させる。これにより、一次電池４の電力が再生機器に供給されて再生機器の電源がオンになるため、再生を開始することができる。
【００５７】
（第８の実施形態）
図１５は、本発明の第５の実施形態に係るディスク用の再生機器の一実施形態を示す模式図である。
【００５８】
この第８の実施形態に係る再生機器は、前述した図１２に示す構造を有するディスク２６の再生に適したものである。正極接点３６の位置が第６の実施形態に係る再生機器と異なっており、正極接点３６はかぎ爪３４の下面に形成されている。
【００５９】
このような再生機器の回転軸３３にディスク２６の中心孔２ａを挿入し、データ記憶エリア３面をピックアップ３５と対向させ、ディスク２６の正極端子２１と再生機器の正極接点３６を接触させると共に、ディスク２６の負極端子２４と再生機器の負極接点３７を接触させる。これにより、一次電池４の電力が再生機器に供給されて再生機器の電源がオンになるため、再生を開始することができる。
【００６０】
また、第６〜第８の実施の形態に係る再生機器において、正極接点３６及び負極接点３７は、導電性ゴムから形成することが望ましい。これにより、ディスク回転時の位置ずれを抑えることができる。中でも、球状の導電性ゴムを使用すると、ディスク回転時の位置ずれをより少なくすることが可能である。
【００６１】
第二に半導体メモリタイプ（再生時に回転などの動作のないタイプ）の実施の形態を説明する。半導体メモリタイプの場合は蓄電デバイスの場所は重心部を避けることが好ましい。重心部はもっとも応力がかかるため、破損の確率が高くなるからである。また、用いる蓄電デバイスには固体電解質を用いた電池、もしくは固体誘電体を用いたキャパシタが望ましい。これは蓄電デバイス破損時に電池内に液状物質があるとショートなどの原因となり、安全上好ましくないためである。導電体はプラスとマイナスが必要であることは蓄電デバイスの特徴から見て明らかであるが、これらは半導体メモリの表裏に分けて配置するか、もしくはデータ領域を挟み込む形で配置するのが好ましい。これは本発明をセキュリティとして考えた場合、正極と負極をバイパスすることで半永久使用を可能にする不正利用を防ぐためである。半導体メモリの表裏に分けて配置する場合には大掛かりな半導体メモリの改造が必要になるし、データ領域を挟み込む形で配置すればバイパスするためにはデータ領域を隠す形でバイパスすることになり、再生不可能となるためである。
【００６２】
半永久使用権の付与された半導体メモリの場合は蓄電デバイスの変わりに導電体があることとなる。
【００６３】
以上の半導体メモリを再生する機器の持つべき機能は、半導体メモリ上の電池から供給される電力を用いて作動のすくなくとも一部を賄う事、半永久使用権の付与された半導体メモリ上には導電体があるので再生装置側から通電を行って蓄電デバイスがある場合と同様の作動を起こすことが必要となる。
【００６４】
（第９の実施形態）
本発明に係る記憶装置の一実施形態を図１６に示す。
【００６５】
このメモリーカード４１のケース４２内には、電気的な作用でデータやり取りのできる再生可能なデータ記憶エリアとして半導体メモリ４３が収容されている。半導体メモリ４３には接触端子４４が形成されている。ケース４２内には、蓄電デバイス４５として例えば一次電池が収容されている。蓄電デバイス４５の正極端子４６は、再生機器と接続される端部に引き出されている。また、蓄電デバイス４５の負極端子４７は、再生機器と接続される端部に正極端子４６に対して半導体メモリ４３を挟んで反対側に位置するように引き出されている。この蓄電デバイス４５は、再生機器のスイッチの電源として機能する。
【００６６】
このようなメモリーカード４１によれば、蓄電デバイス４５の正極端子４６と負極端子４７が再生機器の接続端子と電気的に接続されると、再生機器の電源がＯＮされるため、再生を開始することができる。蓄電デバイス４５の容量が尽きると再生機器の電源が入らなくなってメモリの再生が行われなくなるため、使用回数を制限することができ、定回数使用権付きのメモリーカードを実現することができる。
【００６７】
また、蓄電デバイス４５の正極端子４６と負極端子４７が半導体メモリ４３の接触端子４４を挟み込む形で配置されているため、正極端子４６と負極端子４７をバイパスすると、データ領域を遮蔽する形でバイパスすることとなり、再生不可能となる。よって、不正に半永久的に利用されるのを回避することができる。
【００６８】
（第１０の実施形態）
本発明に係る記憶装置の別な実施形態を図１７〜図１９に示す。図１７は本発明の第１０の実施形態に係るメモリーカードを示す模式図で、図１８は図１７のメモリーカードのXVIII-XVIII線に沿う模式的な断面図で、図１９は図１７のメモリーカードのXIX-XIX線に沿う模式的な断面図である。
【００６９】
この第１０の実施形態に係るメモリーカード４１は、正極端子と負極端子の配置が第９の実施形態と異なるものである。蓄電デバイス４５の正極端子４６は、再生機器と接続される端部に引き出されている。また、蓄電デバイス４５の負極端子４７は、正極端子４６が引き出されている面とは反対側の面に配置されている。
【００７０】
このようなメモリーカード４１によれば、定回数使用権付きの記憶装置を実現することができる。
【００７１】
また、蓄電デバイス４５の正極端子４６と負極端子４７が半導体メモリ４３の表裏に分けて配置されているため、正極端子４６と負極端子４７をバイパスするためには大掛かりな改造が必要となり、不正に半永久的に利用されるのを難しくしている。
【００７２】
なお、ディスクを含む記憶装置全般について、データ記憶エリアと併せてセキュリティ補助データを備えていることが望ましい。このセキュリティ補助データは、二つに分割し、これら二つのデータでデータ記憶エリアを挟むことが望ましい。また、分割した二つのセキュリティ補助データを、データ読み取り面に対して物理的に表裏の位置に配置することも可能である。
【００７３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００７４】
【図１】本発明の第１の実施形態に係るディスクを模式的に示した斜視図。
【図２】図１のディスクについての模式的な断面図。
【図３】図２のディスクの要部拡大断面図。
【図４】本発明の第２の実施形態に係るディスクを模式的に示した斜視図。
【図５】図４のディスクの要部拡大断面図。
【図６】本発明の第３の実施形態に係るディスクを模式的に示した斜視図。
【図７】図６のディスクについての模式的な断面図。
【図８】図６のディスクの要部拡大断面図。
【図９】本発明の第４の実施形態に係るディスクを模式的に示した斜視図。
【図１０】図９のディスクについての模式的な断面図。
【図１１】本発明の第５の実施形態に係るディスクについての模式的な断面図。
【図１２】本発明の第５の実施形態に係るディスクについての別な例を示す模式的な断面図。
【図１３】本発明の第３の実施形態に係るディスク用の再生機器の一実施形態を示す模式図。
【図１４】本発明の第４の実施形態に係るディスク用の再生機器の一実施形態を示す模式図。
【図１５】本発明の第５の実施形態に係るディスク用の再生機器の一実施形態を示す模式図。
【図１６】本発明に係る第９の実施形態に係るメモリーカードを示す模式図。
【図１７】本発明に係る第１０の実施形態に係るメモリーカードを示す模式図。
【図１８】図１７のメモリーカードのXVIII-XVIII線に沿う模式的な断面図
【図１９】図１７のメモリーカードのXIX-XIX線に沿う模式的な断面図
【符号の説明】
【００７５】
１，１７，１８，２０，２３，２６…ディスク、２…ディスク基板、２a…中心孔、３…データ記憶エリア、４…一次電池、５…負極集電体、６…負極層、７…固体電解質層、８…正極層、９…正極集電体、１０…外側絶縁層、１１，１６，１９，２２，２４…負極端子、１３…内側絶縁層、１４，１５，２１…正極端子、１９ａ，２５…負極リード、３１…支持台、３２…ディスク受け台、３３…回転軸、３４…かぎ爪、３５…ピックアップ、３６…正極接点、３７…負極接点、４１…メモリーカード、４２…ケース、４３…半導体メモリ、４４…接触端子、４５…蓄電装置、４６…正極端子、４７…負極端子。
【図１】
2006099841.tif 000003
【図２】
2006099841.tif 000004
【図３】
2006099841.tif 000005
【図４】
2006099841.tif 000006
【図５】
2006099841.tif 000007
【図６】
2006099841.tif 000008
【図７】
2006099841.tif 000009
【図８】
2006099841.tif 000010
【図９】
2006099841.tif 000011
【図１０】
2006099841.tif 000012
【図１１】
2006099841.tif 000013
【図１２】
2006099841.tif 000014
【図１３】
2006099841.tif 000015
【図１４】
2006099841.tif 000016
【図１５】
2006099841.tif 000017
【図１６】
2006099841.tif 000018
【図１７】
2006099841.tif 000019
【図１８】
2006099841.tif 000020
【図１９】
2006099841.tif 000021